(57)【要約】【課題】樹脂フィルム層を最内層に有する異なるリム径のタイヤをロール巻きした同じ樹脂フィルムで製造する。【解決手段】複数の樹脂フィルム片Ｆ１１を張り合わせた樹脂フィルム層を最内層とするタイヤの製造方法であって、所定幅でかつ接着層及び該接着層上に剥離層を備えた樹脂フィルム片Ｆ１１をコンベア１５上に配置し、上記樹脂フィルム片Ｆ１１の剥離層Ｆ２を剥離して接着層を露出し、その上に側縁同士を重ねて次の樹脂フィルム片Ｆ１１を配置し、重ね合わせ部分を接合する。上記各工程を繰り返えして得られた樹脂フィルム部材をタイヤ最内層としてタイヤ成形ドラム上に貼り付けその上に他のタイヤ構成部材を配置してタイヤを製造する。【選択図】          図４
2009000990.tif 000002
【特許請求の範囲】
【請求項１】
複数の樹脂フィルムの側縁同士を張り合わせて形成した樹脂フィルム部材を最内層とするタイヤの製造方法であって、
（ア）接着層及び該接着層上に剥離層を備えた所定幅の樹脂フィルムの所定長さを、前記剥離層を上にして貼り付け体上に配置する工程、
（イ）前記樹脂フィルムの剥離層を剥離して接着層を露出する工程
（ウ）前記接着層を露出した樹脂フィルム上に側縁同士を重ね合わせて次の樹脂フィルムを所定長さ配置する工程、
（エ）前記上下の樹脂フィルム同士の重ね合わせ部分を接合する工程、
（オ）前記次の樹脂フィルムの剥離層を剥離して接着層を露出する工程、を有し、
上記（ウ）〜（オ）の工程を、所定のタイヤのリム径に相当する長さの樹脂フィルム部材が得られるまで繰り返えし、得られた樹脂フィルム部材をタイヤ最内層として、その外側にタイヤ構成部材を成型することを特徴とするタイヤの製造方法。
【請求項２】
請求項１に記載されたタイヤの製造方法において、
所定幅でかつ接着層及び該接着層上に剥離層を備えたロール状に巻回した樹脂フィルムを前記貼り付け体上に所定長さ引き出す工程、
前記接着層を露出する工程に続き樹脂フィルムを所定長さで切断する工程、
を有することを特徴とするタイヤの製造方法。
【請求項３】
請求項１又は２に記載されたタイヤ製造方法において、
前記剥離した剥離層を巻き取る工程を有することを特徴とするタイヤの製造方法。
【請求項４】
請求項１ないし３のいずれかに記載されたタイヤ製造方法において
前記貼り付け体はコンベアであって、かつ前記（ウ）前記接着層を露出した樹脂フィルム上に側縁同士を重ね合わせて次の樹脂フィルムを所定長さ配置する工程は、前記接着剤層を露出した樹脂フィルムを前記コンベアで所定距離移動させた後行うことを特徴とするタイヤ製造方法。
【請求項５】
請求項1ないし４のいずれかに記載されたタイヤの製造方法において、
上記樹脂フィルム部材の外側にカーカスを形成する工程を有することを特徴とするタイヤの製造方法。
【請求項６】
請求項５に記載されたタイヤの製造方法において、
上記樹脂フィルム部材とカーカスとの間にゴム製インナーライナーを形成する工程を有することを特徴とするタイヤの製造方法。
【請求項７】
請求項1から６のいずれかのタイヤ製造方法で製造されたことを特徴とするタイヤ。
【発明の詳細な説明】
【技術分野】
【０００１】
本発明は、所定幅及び長さの樹脂フィルム片の幅方向の端縁同士を、所定枚重ねて接合して形成したフィルム状タイヤ構成部材を最内層に有する空気入りタイヤ及びその製造方法に関する。
【背景技術】
【０００２】
空気入りタイヤ７１は、一般に図６に示すように、２本の環状のビード７２、７２に両端を固定されたカーカスプライ７３がタイヤ外側に延在し、カーカスプライ７３の外周側には補強コードをタイヤ周方向に所定の間隔で配置したベルト層７４が、また、ベルト層７４のさらに外周側にはトレッドゴム７５が設けられ、カーカスプライ７３の両側方にはサイドウオールゴム７６が貼り付けられ、全体が略環状に形成されている。
この空気入りタイヤ７１のカーカスプライ７３の内側つまりタイヤの最内層として、タイヤに充填された空気の透過を防止するインナーライナー７７が配置されている。なお、図中Ｗｓはタイヤのリム径に対応する円周長さ（セクション幅）を示す。
【０００３】
従来、インナーライナーの材料としては、ブチルゴム、ハロゲン化ブチルゴムなどの低気体透過性ブチル系ゴムが用いられている。
このようにゴム材料を用いたインナーライナーは、一定幅を有する帯状ゴム部材の連続体を一定長毎に切断して帯状ゴム部材を形成し、複数の帯状ゴム部材片の幅方向の端部同士を所定枚数重ねて接合することにより、タイヤのリム径に応じた所定長さに製造される（特許文献１参照）。
【０００４】
図７は、この帯状ゴム部材片を用いたインナーライナー製造装置の概略構成図である。図中、押出し機１１０は、投入されたゴム材をスクリューで混練しながらローラヘッド１１１に送り、ローラヘッド１１１により帯状ゴム部材１０１に成形して連続的に押出していく。
【０００５】
上ローラ１１１ａと下ローラ１１１ｂに挟まれて押出される帯状ゴム部材１０１は、図８の断面図に示すように、中央部は一定の部材幅でかつ両側端縁はテーパー状に形成されている。
【０００６】
帯状ゴム部材１０１は、フェスツーン（引き出し量調整部）１１３を経て、コンベアベルト１１５にその側方の定位置から直角に供給される。供給されるストリップ部材１０１はカッター１１４によりセクション幅Ｗｓに応じた所定長さの帯状ゴム片１０２に切断される。
【０００７】
帯状ゴム片１０２がコンベアベルト１１５に載置されると、コンベアベルト１１５を駆動して、帯状ゴム片１０２を矢印Ｘ方向に一定距離だけ移動して停止させる。次いで、再び帯状ゴム部材１０１をコンベアベルト１１５の側方から供給し、上記所定長さに切断してコンベアベルト１１５上に載せると、図９に示すように、前進した先行の帯状ゴム片１０２に次の帯状ゴム片１０２のテーパー付き側縁部１０２ｂが重ねて載置され、重ね合わせた端部同士を押圧して接合する。
以上の工程を、図１０に示すタイヤのリム径に応じたセクション幅のインナーライナー用部材１０３が製造されるまで繰り返す。
このインナーライナー用部材１０３は、図示しない成型ドラムに巻き付けられ、先端と後端の端部同士が重ね合わされて環状のインナーライナーに成形される。
【０００８】
しかし、これらのインナーライナーにおいてブチル系ゴムの含有量を多くすると、未加硫ゴムの強度が低下し、ゴム切れやフィルム穴空きなどを生じ易く、特にインナーライナーを薄ゲージ化すると、タイヤ製造時に切れてカーカスプライの内面のコードが露出し易く、空気遮断性に問題が出てくる。したがってブチル系ゴムを配合したゴム組成物を用いる場合、インナーライナー層の厚さは例えば０．８ｍｍ程度が必要であり、タイヤの重量が増大するという問題がある。また、それだけではなく、ブチル系ゴムは内面ゴムに対する接着性が十分でないため、ブチル系ゴムと内面ゴムの中間的組成を有するゴムシートを介在させて両者を接合する場合には、その厚さは１ｍｍ程度になり重量が益々増大することになる。
【０００９】
このように、タイヤに占めるインナーライナーの重量は大きく、約５％程度にもなるため、タイヤの重量を低減し、燃料の節減を図る上で障害になっている。
また、帯状ゴム片１０２のテーパー面同士の接合部では、重ねたときの厚さが不均一になることがあり、その場合はタイヤのユニフォーミティが悪くなり、走行時の振動の原因となるという問題もある。
【００１０】
そこで、近年の省エネルギーの要請に応じて、自動車タイヤの軽量化を目的として、例えば５０μｍ程度の厚さのナイロンフィルム層や塩化ビニリデン層をインナーライナー層としてブチル系ゴムの代わりに用いたものが提案されている（特許文献２参照）。また、熱可塑性樹脂とゴムとをブレンドした熱可塑性エラストマー材料をインナーライナー層に用いたもの（特許文献３参照）、ハロゲン化ブチルゴムと樹脂フィルム層とを接着剤層を介して接合した積層体をインナーライナー層に用いたもの（特許文献４参照）も提案されている。
【００１１】
このような樹脂フィルムを用いたインナーライナーは、軽量化できるとともにその厚みが無視できるため、ブチルゴムを用いた場合のような重量の増大や接合部における厚みの不均一の問題も解決できる。
しかしながら、樹脂フィルムによるインナーライナーは、例えば特許文献３に記載されているように、熱可塑性エラストマー材料をそれぞれ異なるタイヤのリム径の周方向長さに応じた幅のフィルムに成型してロールに巻き取っておき、生タイヤ成型時に、生タイヤのセクション幅に応じて、対応するロールを選択してそこからフィルムを引き出し、タイヤの径に応じた長さに切断して、このインナーライナーを成型ドラム上に巻き付けて成型する方法を採っているため、製品タイヤのリム径に対応して幅の異なるロールフィルムを予め製造し、かつそれらをそれぞれ必要な数だけ保管・管理する必要があり、保管のために必要なスペースや設備が大きくなるという問題がある。また、製造するタイヤのリム径が変わる毎にロール替えが必要であるため手間が掛り、生産阻害が発生するという問題もある。
【００１２】
そこで、樹脂フィルムをロール巻きしておき、従来のブチルゴム材料からインナーライナーを製造する方法のように、樹脂フィルム片同士を接続することによりインナーライナーを製造することも考えられる。
しかし、樹脂フィルムの接合を容易にするためには、樹脂フィルムに予め接着層を付与しておく必要があり、そうすると樹脂フィルムを保管する場合に樹脂フィルム同士が接着してうまく引き出せなくなる。また、仮に引き出せたとしても、一定の長さに切断した樹脂フィルム片同士を接合する際に、樹脂フィルム片同士が勝手に接合して目的とする接合作業がうまく実施できないという問題が生じる。
【００１３】
【特許文献１】ＷＯ２００２／５５２８９号公報
【特許文献２】特開平７−４０７０２号公報
【特許文献３】ＷＯ２００４／１１０７３５号公報
【特許文献４】特開２００６−１５９５２２号公報
【発明の開示】
【発明が解決しようとする課題】
【００１４】
本発明は、前記従来の問題点に鑑みてなされたものであり、その目的は、同一幅の樹脂フィルムから、リム径の異なるいかなるタイヤにも対応できる樹脂フィルム部材を製造できるようにして、材料となる樹脂フィルムの保管や供給装置などを共通化できるようにすることである。
また、樹脂フィルム部材をインナーライナーとして或いはその保持部材としてタイヤの最内層に用いることにより、タイヤの重量を軽減して、製造時間（加硫時間）や燃料消費を削減できるタイヤを提供すると共に、樹脂フィルム層同士の接合部の段差を低減してタイヤのユニフォーミティを向上させることである。
【課題を解決するための手段】
【００１５】
請求項１の発明はタイヤの製造方法であって、複数の樹脂フィルム片の側縁同士を張り合わせて形成した樹脂フィルム部材を最内層とするタイヤの製造方法であって、（ア）接着層及び該接着層上に剥離層を備えた所定幅の樹脂フィルムの所定長さを、前記剥離層を上にして貼り付け体上に配置する工程、（イ）前記樹脂フィルムの剥離層を剥離して接着層を露出する工程、（ウ）前記接着層を露出した樹脂フィルム上に側縁同士を重ね合わせて次の樹脂フィルムを所定長さ配置する工程、（エ）前記上下の樹脂フィルム同士の重ね合わせ部分を接合する工程、（オ）前記次の樹脂フィルムの剥離層を剥離して接着層を露出する工程、を有し、上記（ウ）〜（オ）の工程を、所定のタイヤのリム径に相当する長さの樹脂フィルム部材が得られるまで繰り返えし、得られた樹脂フィルム部材をタイヤ最内層として、その外側にタイヤ構成部材を成型することを特徴とする。
請求項２の発明は、請求項１に記載されたタイヤの製造方法において、所定幅でかつ接着層及び該接着層上に剥離層を備えたロール状に巻回した樹脂フィルムを前記貼り付け体上に所定長さ引き出す工程、前記接着層を露出する工程に続き樹脂フィルムを所定長さで切断する工程、を有することを特徴とする。
請求項３の発明は、請求項１又は２に記載されたタイヤ製造方法において、前記剥離した剥離層を巻き取る工程を有することを特徴とする。
請求項４の発明は、請求項１ないし３のいずれかに記載されたタイヤ製造方法において、前記貼り付け体はコンベアであって、かつ前記（ウ）前記接着層を露出した樹脂フィルム上に側縁同士を重ね合わせて次の樹脂フィルムを所定長さ配置する工程は、前記接着剤層を露出した樹脂フィルムを前記コンベアで所定距離移動させた後行うことを特徴とする。
請求項５の発明は、請求項1ないし４のいずれかに記載されたタイヤの製造方法において、上記樹脂フィルム部材の外側にカーカスを形成する工程を有することを特徴とする。
請求項６の発明は、請求項５に記載されたタイヤの製造方法において、上記樹脂フィルム部材とカーカスとの間にゴム製インナーライナーを形成する工程を有することを特徴とする。
請求項７の発明はタイヤであって、請求項1から６のいずれかのタイヤ製造方法で製造されたことを特徴とする。
【００１６】
（作用）
接着防止用の剥離層が付加された所定幅のロールに巻回された樹脂フィルムを所定長さに切断して樹脂フィルム片とし、この樹脂フィルム片の幅方向の端部を貼り付け体上で前記剥離層を剥がしてその幅方向に所定枚数重ねて接合し、様々なリム径のタイヤに適合する所定幅及び長さの樹脂フィルム部材（タイヤ構成部材）を製造する。このようにして製造された樹脂フィルム部材を成型ロール上に貼り付けてタイヤ最内部の樹脂フィルム層とし、その上にカーカス、補強層、サイドゴム、トレッド部等を形成して生タイヤを形成し、この生タイヤを加硫して製品タイヤを製造する。
【発明の効果】
【００１７】
本発明によれば、樹脂フィルム材料をロール状に巻き取りにして容易に保管できると共に、１種類の、つまり同一幅の樹脂フィルムロールからリム径の異なる全てのタイヤの樹脂フィルム部材を容易に製造することができるため、ストックスペースや、材料供給装置などを共通化することができ、その管理が容易である。
また、この樹脂フィルム層を、例えばゴム製のインナーライナーと併用するか或いはインナーライナーとして用いることにより、タイヤの重量が軽減でき、したがって製造時間が短縮できる共に、燃料の節減にも資することができる。また、フィルム層同士を重ね合わせたことによる厚みの増分が無視できるため、ユニフォーミティの優れたタイヤを得ることができる。
【発明を実施するための最良の形態】
【００１８】
以下、本発明の実施形態について図面を用いて説明する。
図１は、本発明のタイヤを構成する樹脂フィルム部材であるインナーライナーを製造する装置を概略的に示す図である。
このインナーライナー製造装置は、概略的には、所定幅の樹脂フィルムＦが巻回されている樹脂フィルムロール１から樹脂フィルムＦを繰り出し、所定長さに切断して樹脂フィルム片Ｆ１１を形成し、この樹脂フィルム片Ｆ１１を所定枚数コンベア１５上に横に並べてその側縁同士を接合することにより、製品タイヤのリム径に対応させた樹脂フィルム部材を形成するものである。
【００１９】
ここで、樹脂フィルムＦは、図２にその断面を示すように幅方向断面が偏平な矩形であり、所定の幅を有し、フィルム層Ｆ１の裏面には接着層Ｆ３が付されており、接着層Ｆ３には、ロール１に巻回された樹脂フィルムＦ同士の接着面の付着を防止する接着防止層となる剥離層Ｆ２が配置されている。
【００２０】
樹脂フィルム層Ｆ１は、例えば厚さ４０μｍ程度のナイロン（登録商標）や塩化ビニリデン等からなり、剥離層Ｆ２は厚さ５０〜１００μｍ程度の樹脂フィルムからなる。
【００２１】
フィルム層Ｆ１の長手方向両側部の長さＬ２の部分は、樹脂フィルムＦをタイヤのセクション幅Ｗｓに等しい長さに切断して形成した樹脂フィルム片Ｆ１１を幅方向に所定枚接合して、タイヤ１本分の長さ（タイヤ周方向長さ）にするときの重ね代である。
ここで、樹脂フィルム片の幅方向両端縁側の長さＬ２と中央部分の長さＬ１との和Ｌ３が、樹脂フィルム片同士を重ね合わせたときの１枚の樹脂フィルム片の実効幅となる。
【００２２】
図１を参照すると、本発明の実施形態のインナーライナー製造装置は、樹脂フィルムロール１から樹脂フィルムＦを引き出す引き出し部２と、引き出し部２により引き出された樹脂フィルムＦの張力を調整する引き出し側フェスツーン３と、引き出し側フェスツーン３の引き出し方向下流側に配置されたローラ４、５とを備えている。
ここで、引き出し部２は、基端を中心に揺動可能な引き出しアーム２ａと、その先端側に取り付けられた一対の引き出しローラ２ｂとから成る。また、引き出し側フェスツーン３は、上下方向に延びるフレーム３ａと、フレーム３ａの上端付近に配置された上流側の固定ローラ３ｂと下流側の固定ローラ３ｃと、両固定ローラ３ｂ、３ｃ間でフレーム３ａに沿って上下動する可動ローラ３ｄとを備えている。可動ローラ３ｄはフレーム３ａ内に設けられたガイド軸３ｅに沿って上下動する移動体３ｆに固定されており、移動体３ｆの上下動により移動体３ｆと一体的に上下動する。
なお、このように移動体３ｆを上下動させる機構としてはボールねじ及びモータなどの周知の機構を用いることができる。
【００２３】
コンベア１５は、図示しないモータにより紙面に垂直な方向へ移動可能である。これにより、コンベア１５上に載置されて切断された樹脂フィルム片Ｆ１１をその幅方向に搬送することができる。コンベア１５の上方には、コンベア１５の幅方向（搬送方向と直交する方向）に延びるフレーム１６が配置されており、フレーム１６にはガイドレール１７が設けられている。また、フレーム１６の一端（図の左端）付近にはローラ６が設けられ、その右側には樹脂フィルムＦの表面を下方へ押し付けるための押付け装置２０がガイドレール１７で案内されて往復移動可能に取り付けられている。
【００２４】
押付け装置２０の左右にはローラ７、８が取り付けられている。また、押付け装置２０はピストンシリンダ機構２１を有しており、そのピストンロッドの先端部には、樹脂フィルム同士を貼り付けるときに、その接合縁をコンベア１５に押し付ける貼付けローラ２２が取り付けられている。貼付けローラ２２は、コンベア１５の上面に沿ってその幅方向に往復移動可能であると共にコンベアに対して上下動自在に配置されている。
【００２５】
フレーム１６の左端付近の下方には、樹脂フィルムＦを引き出すとき、その樹脂フィルムＦをローラ７と貼り付けローラ２２との間に挟んで固定するブレーキ２３が設けられている。
貼り付けローラ２２近傍には、貼付けローラ２２の下流側においてフィルム層Ｆ１と剥離層Ｆ２とを分離するためのナイフエッジ２５が配置されている。また、ナイフエッジ２５の上方には、ナイフエッジ２５により分離された剥離層Ｆ２をローラ８の方向へ案内するための小径のローラ２７が配置されている。これらのブレーキ２３、ナイフエッジ２５及びローラ２７は、押付け装置２０と一体的に往復移動可能に構成されている。つまり、ブレーキ２３、ナイフエッジ２５及びローラ２７はコンベア１５の上面に沿ってその幅方向に往復移動可能である。
【００２６】
また、ガイドレール１７には、下端に吸着及び先端押さえヘッド１９を有する移送装置１８が往復動可能に取り付けられている。即ち、吸着及び先端押さえヘッド１９はコンベア１５の上面に沿ってその幅方向に往復動可能である。吸着及び先端押さえヘッド１９は、樹脂フィルムＦの先端面を吸着してコンベア１５の幅方向の一端部から他端部へ移送する機能、及び移送した樹脂フィルムＦの吸着を解除したとき、移送装置１８が有するピストンシリンダ機構の作用により下方へ移動して、コンベア１５上に載せられた樹脂フィルムＦの先端をコンベア１５の上面に押し付ける機能を備えている。
【００２７】
コンベア１５の上には、コンベア１５上に載せられたフィルム層Ｆ１をタイヤのリムの周長に等しい長さＷｓのフィルム片Ｆ１１に切断するためのカッター２６が設けられている。
【００２８】
フレーム１６の右端付近には、ナイフエッジ２５によりフィルムＦから剥離された剥離層Ｆ２を、ローラ８を介して巻き取りロール１４へ搬送するためのローラ９、１０と、剥離層Ｆ２をローラ９の表面に押し付けて、搬送を停止させるためのブレーキ１１とが設けられている。
【００２９】
ローラ１０の下流側には、ローラ１２と、巻き取り側フェスツーン１３と、巻き取り用モータＭｔにより駆動される巻き取りロール１４とが設けられている。巻き取り側フェスツーン１３は、引き出し側フェスツーン３と同様に、上下方向に延びるフレーム１３ａと、フレーム１３ａの上端付近に配置された固定ローラ１３ｂ、１３ｃと、フレーム１３ａに沿って上下動する可動ローラ１３ｄとを備えている。可動ローラ１３ｄはフレーム１３ａ内に設けられたガイド軸１３ｅに沿って上下動する移動体１３ｆに固定されており、移動体１３ｆの上下動により移動体１３ｆと一体的に上下動することにより、搬送される剥離層Ｆ２の張力を調整することができる。
【００３０】
上述したインナーライナー製造装置の各モータ等の動作タイミングの制御など、この装置全体の動作の制御を行う制御装置３０が設けられている。制御装置３０はコンピュータにより構成されており、ＣＰＵ、ＲＡＭ、及びＲＯＭを有しており、ＲＯＭは、下記表１に示すように、様々な幅を有する樹脂フィルムＦを用いてタイヤのインナーライナーを製造できるよう、使用する樹脂フィルム片の枚数、及びそれらを接合するときの重ね代の長さが記憶されたテーブルを備えている。
【００３１】
【表１】
2009000990.tif 000003
【００３２】
ここでは、ｎ＝２、即ちフィルム層Ｆ１の幅が直径２インチの円の円周長（２×π×２５．４ｍｍ）に重ね代Ｌ2を付加した値を有するものである場合について例示している。この表１に示すように、リム径が１２インチ、１４インチ、１６インチ、１８インチ等のような偶数になる場合は、それらの数字を２で割った値が樹脂フィルム片Ｆ１１の使用数であり、フィルム層Ｆ１の両端に形成されている長さＬ2をそのまま重ね代とする。一方、リム径が１３、１５、１７インチ等のように奇数になる場合は、それらの数字を２で割ると１余るので、重ね代を前記長さＬ2よりも短くすることで、直径１インチの円の円周長（＝７９．８ｍｍ）の長さを作り出す。例えば１３インチの場合、重ね代をδ1短縮してＬ2−δ1に設定し、６個の樹脂フィルム片を接合した場合の長さが１３インチになるようにする。
【００３３】
次に上述した重ね代の短縮量δ1について説明する。図３Ａに示すように、リム径が１２インチの場合は、６枚の樹脂フィルム片を重ね代Ｌ2を設けて接合することにより、タイヤ1本分のインナーライナーを製造する。この場合、接合されたフィルム状の部材の長さは
６Ｌ1＋７Ｌ2・・・式［１］
であるが、成型ドラム上で貼り合わせるときに、両端部の長さＬ2の部分を重ねるので、円筒状のインナーライナーに成型されたときの長さは
６Ｌ1＋６Ｌ2＝６（Ｌ1＋Ｌ2）＝６Ｌ3＝６×２×π×２５．４＝１２×２５．４×π（ｍｍ）・・・式［２］
となる。
【００３４】
これに対し、１３インチの場合は図３Ｂに示すように、重ね代をδ1短縮するので、図３Ａの「６Ｌ1＋７Ｌ2」に対応する長さは
６Ｌ1＋５（Ｌ2＋δ1）＋２Ｌ2＝６Ｌ1＋７Ｌ2＋５δ1・・・式［３］
となる。この式より、５δ1が１インチになるようにすればよいから、δ1は１／５インチとなる。同様に、１５インチの場合のδ2は１／７インチ、１７インチの場合のδ3は１／８インチとなる。
【００３５】
次に、本実施形態のインナーライナー製造装置の動作について説明する。
まず、ユーザにより、図示しない入力装置により樹脂フィルム片Ｆ１１の幅およびタイヤのリム径の値が入力されると、制御装置３０のＣＰＵは、入力されたリム径に対応する樹脂フィルム片Ｆ１１の使用枚数及び重ね代を表１に示すようなテーブルから読み出し、ＲＡＭに設定する。以後、制御装置３０は、ＲＡＭに設定されたデータに基づいて各部を動作させる。
【００３６】
作動開始時においては、図１に示すように、樹脂フィルムロール１に巻回されている樹脂フィルムＦは、吸着及び先端押さえヘッド１９に吸着されて引き出し部２から、引き出し側フェスツーン３、ローラ４、５、６、７、貼り付けローラ２２を通り、その先端がベルトコンベア１５上の所定の位置まで引き出され、他方、剥離層Ｆ２はナイフエッジ２５で剥離されて、その先端はローラ９、１０、１２、巻き取り側フェスツーン１３を通って巻き取りロール１４に到達している。
この状態で、剥離層Ｆ２が剥離されたフィルム層Ｆ１は、図４Ａに示すように、カッター２６により樹脂フィルム片Ｆ１１に切断される。
【００３７】
次に、コンベア１５をＸ方向（図４Ａ参照）に駆動して樹脂フィルム片Ｆ１１を所定距離移動させた後停止させる。同時に、制御装置３０は、図１の位置にある吸着及び先端押さえヘッド１９を動作させて、その下方に存在する樹脂フィルムＦの先端（この先端は先の切断行程で切断された剥離層が剥離された状態にある）を吸着させるとともに、ブレーキ２３を動作させて樹脂フィルムＦを固定する。次いで、吸着及び先端押さえヘッド１９を移送装置１８及び押付け装置２０と共に図１に示す位置から右方へ移動させ、樹脂フィルムロール１から樹脂フィルムＦを引き出す。
【００３８】
この樹脂フィルムＦの引き出し工程中は、剥離層Ｆ２の剥離は行わないから、剥離層Ｆ２用のブレーキ１１を動作させるとともにモータＭtの回転を停止させておく。
したがって、樹脂フィルムＦは剥離層Ｆ２を付着したままの状態で、その先端が吸着及び先端押さえヘッド１９に保持されてコンベア１５の右端付近の所定位置に到達する。
【００３９】
樹脂フィルムＦの先端がコンベア１５の上記所定位置に到達したとき、移送装置１８及び押付け装置２０等の移動を停止させるとともに、吸着及び先端押さえヘッド１９による吸着動作を解除する。このとき、樹脂フィルムＦの先端が吸着及び先端押さえヘッド１９から離れなければ、エアブローを使用する。
【００４０】
次に、ピストンシリンダ機構２１を動作させて、貼り付けローラ２２を樹脂フィルムＦの表面に押し当てるとともに、吸着及び先端押さえヘッド１９を同期して下降させる。これにより、吸着及び先端押さえヘッド１９は剥離層Ｆ２を剥離した樹脂フィルムＦ１先端を押さえ、かつナイフエッジ２５を介して反対側に配置された貼り付けローラ２２は剥離層Ｆ２を備えた樹脂フィルムＦを押さえた状態となる。ここで、貼り付けローラ２２の外周面の幅は重ね代の幅よりも広く、貼り付けローラ２２の外周面は、図４Ｂにおける樹脂フィルム片Ｆ１１と樹脂フィルム片Ｆ１２との重ね代を含む幅方向位置を押圧する。
【００４１】
次に、ブレーキ２３を解除して樹脂フィルムＦの拘束を解放し、樹脂フィルムＦの先端を吸着及び先端押さえヘッド１９で押さえた状態で、貼り付けローラ２２を樹脂フィルムＦの表面に押し当てたまま押付け装置２０を左方へ移動しフィルムＦを樹脂フィルム片Ｆ１１に接合する。
【００４２】
剥離層Ｆ２は、貼り付けローラ２２とともに移動するナイフエッジ２５の右端で剥離され、貼り付けローラ２２とローラ２７との間を通って、ローラ８の方向へ搬送されモータＭtで駆動される巻き取りロール１４に巻き取とられる。
【００４３】
押付け装置２０が図１に示すようにコンベア１５上の樹脂フィルム片Ｆ１１、Ｆ１２（図４）の左端よりも左方の位置に到達したとき、押付け装置２０の移動を停止させ、ピストンシリンダ機構２１により貼り付けローラ２２を上方へ移動させる。次に、吸着及び先端押さえヘッド１９を上方へ移動させて、樹脂フィルム片Ｆ１１及びＦ１２から離す。このとき、吸着及び先端押さえヘッド１９を上方へ移動させても樹脂フィルム片Ｆ１１及びＦ１２が離れなければ、エアブローを用いる。
次いで、吸着及び先端押さえヘッド１９を下方へ移動させて、フィルム層Ｆ１を押さえ、カッター２６により所定位置で切断する。これにより、コンベア１６上には、図４Ｃに示すように、予め設定されているタイヤのセクション幅Ｗsに等しい長さを有する樹脂フィルム片Ｆ１１及びＦ１２が接合された状態となる。
【００４４】
以下、図４Ｄに示すように、タイヤのリム径に対応する周長の枚数（図ではＮ枚）の樹脂フィルム片が接合されるまで上述した工程を繰り返し、所定のセクション幅及びリム径を有するタイヤ１本分のフィルム状のインナーライナーが得られる。このインナーライナーは、コンベア１５の搬送方向下流に配置されている成型ドラム（図示せず）に巻き付けられ、その両端部が接合されてタイヤの最内層となる。
【００４５】
このように、本発明の実施形態のインナーライナー製造装置によれば、接着防止用の剥離層が付加された一定幅の樹脂フィルムＦを所定量（所定長）ずつ間欠的にコンベア１５上に配置し、タイヤのセクション幅Ｗｓに相当する長さに切断するとともに、タイヤのリム径に応じて予め設定されている枚数の樹脂フィルム片を、タイヤのリム径に応じて予め設定されている重ね代を設けて重ねていくので、帯状ゴム部材片を用いる従来装置に比べ、異なるタイヤリム径に応じたインナーライナーを容易にかつ効率よく製造することができるため、その生産性が向上する。
また、樹脂フィルム片の長さを変えることにより、様々なセクション幅Ｗｓを有する樹脂フィルム部材を製造することができる。
【００４６】
この樹脂フィルム部材を従来のゴム製のインナーライナーに代えてインナーライナーとして用いることで、タイヤ重量を大幅に軽減できるだけではなく、ゴム量が減ることで加硫時間も短縮でき、また、軽量化されるため燃料の節減が可能である。また、インナーライナーの厚みが薄く接合部の段差が無視できるため、タイヤのユニフォーミティも従来のゴム製のインナーライナーを使用したタイヤよりも向上する。更に、ゴム製のインナーライナーと同等程度以上のガスバリア性を得ることができるため、タイヤの空気抜けが起こり難くタイヤを長寿命化することができる。
【００４７】
なお、以上の実施形態では、樹脂フィルム片の作成及び接合をコンベア上で実行しているが、回転ドラム上で実行することもできる。また、幅方向の全域を同じ厚さに形成するのに代えて、フィルム層の幅方向の両端部を中央部よりも薄い一定の厚さに形成してもよいし、或いは両側縁部をテーパー状に形成してもよい。
さらに、以上で説明したインナーライナー製造装置は、カーカスプライなどのフィルム状タイヤ構成部材の製造にも適用できる。
【００４８】
以上の実施形態では、コンベア１５の搬送方向に対し、樹脂フィルム片Ｆ１１を垂直方向に貼り付けているが、コンベア１５の延びる方向に対し、フレーム１６の延びる方向を斜めに設定することにより、コンベア１５の搬送方向に対し、任意の角度の斜め方向に貼り付けることもできる。さらに、貼り付けロール２２に代えて、クローラー（無限軌道）により貼り付けるように構成してもよい。
【００４９】
本発明の実施形態に係るタイヤは、以上で説明した樹脂フィルム製造装置で製造した樹脂フィルム部材を成型ドラムに貼り付けてタイヤの最内層を形成し、その上に、ゴム製のインナーライナー貼り付けることで、従来のゴム製のインナーライナーの厚みを低減させている。
上記樹脂フィルム部材及びインナーライナーを成形ドラムに貼り付けた後は、周知のタイヤ製造方法にしたがって、その上にカーカス、補強層、サイドゴム、トレッド部などを貼り付けて生タイヤを構成し、ブラダーを用いて、或いはブラダーレス成型により加硫して製品タイヤを形成する。
【００５０】
本実施形態によれば、タイヤ重量を軽減することができる。即ち、一般にゴム製のインナーライナーはタイヤ全重量の５％程度を占めるから、また、タイヤ重量が軽減されるため、加硫時間を短縮出来ると共に燃料の節減もできる。また、使用するゴム量が削減されることにより環境に対する負荷を低減することもできる。
【００５１】
図５Ａは、ゴム製のインナーライナーの内側に上記樹脂フィルム製造装置で製造した樹脂フィルム部材を配置した構造であり、かつ、図５Ｂは、図５Ａのインナーライナーと樹脂フィルムの拡大断面図である。
この実施形態では、上記の装置及び方法で製造された樹脂フィルム部材がゴム製のインナーライナー７７上に配置されている。この構成を採ることにより、例えばブチルゴム製のインナーライナー７７のガスバリア性を補うことで、ブチルゴムの厚みを従来のものの約半分程度の厚さ（０．５ｍｍ）にすることができる。この場合も、樹脂フィルム部材（Ｆ１１、・・・）の厚さは０．１ｍｍ程度でありその重量は殆ど無視できるから、タイヤ重量を軽減することができ加硫時間の短縮や燃料の節減も可能である。
【図面の簡単な説明】
【００５２】
【図１】本発明の実施形態のインナーライナー製造装置の構成を示す図である。
【図２】本発明の実施形態のインナーライナー製造装置で使用する樹脂フィルムの幅方向断面図である。
【図３】本発明の実施形態のインナーライナー製造装置にて接合する樹脂フィルム片の重ね代の長さを説明するための図である。
【図４】本発明の実施形態のインナーライナー製造装置のコンベア上でストリップ部材片が接合される様子を示す図である。
【図５】本発明の実施形態に係るタイヤであり、図５Ａは、ゴム製のインナーライナーの内側に樹脂フィルムを配置した構造を、また図５Ｂは、図５Ａのインナーライナーと樹脂フィルムの構造の拡大断面図である。
【図６】空気入りタイヤの断面図である。
【図７】従来のインナーライナー製造装置の概略構成を示す斜視図である。
【図８】従来のインナーライナー製造装置で使用するストリップ部材の幅方向断面図である。
【図９】従来のインナーライナー製造装置のコンベア上でストリップ部材が接合される様子を幅方向断面図である。
【図１０】従来のインナーライナー製造装置にて製造されたインナーライナーの平面図である。
【符号の説明】
【００５３】
１・・・樹脂フィルムロール、２・・・引き出し部、３・・・引き出し側フェスツーン、１１、２３・・・ブレーキ、１３・・・巻き取り側フェスツーン、１３・・・巻き取りロール、１５・・・コンベア、１８・・・移送装置、１９・・・吸着及び先端押さえヘッド、２０・・・押付け装置、２２・・・貼り付けロール、２５・・・ナイフエッジ、２６・・・カッター、３０・・・制御装置。
【図１】
2009000990.tif 000004
【図２】
2009000990.tif 000005
【図３】
2009000990.tif 000006
【図４】
2009000990.tif 000007
【図５】
2009000990.tif 000008
【図６】
2009000990.tif 000009
【図７】
2009000990.tif 000010
【図８】
2009000990.tif 000011
【図９】
2009000990.tif 000012
【図１０】
2009000990.tif 000013